(57)【要約】【課題】便器のボウル部内から上昇した臭気を効率良く吸い込んで脱臭することができ、快適にトイレを利用することができるトイレ設備を提供する。【解決手段】脱臭装置１が便器２の側方の壁６８に設けられた又は当該壁６８に沿って配設されたトイレ設備である。脱臭装置１は、吸気口７及び排気口９と、吸気口７を介してトイレ内の空気を吸い込んで排気口９から排出するファン６と、前記吸気口７から吸い込んだ空気を脱臭する脱臭手段を備える。吸気口７が便器２上に配置された便座３よりも上方に位置する。前後方向において吸気口７の少なくとも一部が前記便座３の開口６６の前端ａから中心ｂまでの領域と重なる位置に設けられる。【選択図】        図１
2010101026.tif 000002
【特許請求の範囲】
【請求項１】
脱臭装置が便器の側方の壁に設けられた又は当該壁に沿って配設されたトイレ設備であって、脱臭装置は、吸気口及び排気口と、吸気口を介してトイレ内の空気を吸い込んで排気口から排出するファンと、前記吸気口から吸い込んだ空気を脱臭する脱臭手段を備え、前記吸気口が便器上に配置された便座よりも上方に位置し、且つ、前後方向において吸気口の少なくとも一部が前記便座の開口の前端から中心までの領域と重なる位置に設けられることを特徴とするトイレ設備。
【請求項２】
前記排気口は脱臭後の空気を便座よりも後方に排出するものであることを特徴とする請求項１に記載のトイレ設備。
【発明の詳細な説明】
【技術分野】
【０００１】
本発明は脱臭装置が設けられたトイレ設備に関する。
【背景技術】
【０００２】
従来、便器が有する脱臭機能により便器内の空気を脱臭するものが知られている（例えば特許文献１）。
【０００３】
ところで、上記のように便器に脱臭機能を設けたとしても、便器内の空気を完全に脱臭することは難しく、また、排便時には排泄物の温度や着座者の体温により便器内に上昇気流が生じやすい。このため図９に示すように便器内の臭気が便座３の開口から便座に着座した人の両太股の間を通過して上昇し、着座者が臭気を感じて不快になる恐れがある。
【０００４】
また、例えば特許文献２に示すように、便器の側方のトイレの壁に沿って脱臭装置を配設したものも知られている。しかし、この脱臭装置は便器よりも前方に位置し、便器内から上昇した臭気を効率良く吸い込んで脱臭することができない。
【特許文献１】特開２００８−８１９２９号公報
【特許文献２】特開２００３−２７８２２１号公報
【発明の開示】
【発明が解決しようとする課題】
【０００５】
本発明は上記従来の問題点に鑑みてなされたものであって、便器のボウル部内から上昇した臭気を効率良く吸い込んで脱臭することができ、快適にトイレを利用できるトイレ設備を提供することを課題とする。
【課題を解決するための手段】
【０００６】
上記課題を解決するために本発明に係るトイレ設備は、脱臭装置１が便器２の側方の壁６８に設けられた又は当該壁６８に沿って配設されたトイレ設備であって、脱臭装置１は、吸気口７及び排気口９と、吸気口７を介してトイレ内の空気を吸い込んで排気口９から排出するファン６と、前記吸気口７から吸い込んだ空気を脱臭する脱臭手段を備え、前記吸気口７が便器２上に配置された便座３よりも上方に位置し、且つ、前後方向において吸気口７の少なくとも一部が前記便座３の開口６６の前端ａから中心ｂまでの領域と重なる位置に設けられることを特徴とする。
【０００７】
また、前記排気口９は脱臭後の空気を便座３よりも後方に排出するものであることが好ましい。
【発明の効果】
【０００８】
請求項１にあっては、吸気口を便器上に配置された便座よりも上方に位置させ、且つ、前後方向において吸気口の少なくとも一部を便座の開口の前端から中心までの領域と重なる位置に位置させたことで、吸気口を便座に着座した人の両太股の間の上方部に近い位置に配置でき、これにより便器内から便座に着座した人の両太股の間を通って上昇した臭気を吸気口にて効率良く吸い込むことができ、便座に着座した人は臭気を感じ難く、快適にトイレを利用することができる。
【０００９】
また、請求項２にあっては、脱臭後の空気を便座よりも後方に排出することで、排気口から排出される空気が便座に着座した人に直接当たることを防止でき、これにより着座者が排気口から排出された空気に残った臭気を感じたり、排気口から排出された空気が着座者の体に当たって寒さを感じたりすることを防止できる。
【発明を実施するための最良の形態】
【００１０】
以下、本発明の実施形態の一例を添付図面に基づいて説明する。
【００１１】
図１及び図２に示すように、本例のトイレ設備は、便器２の側方の壁６８に沿って脱臭装置１を配設したものであって、脱臭装置１は便器２の左右方向における外側に位置するものである。
【００１２】
図３のようにトイレの床に設置される便器２は洋式便器であって、便器２の後部上端部には便座３及び便蓋４が回動自在に取り付けられている。便器２の後部には本例の脱臭装置１とは別に図示しない脱臭機が設けられ、ボウル部５内の空気を後方の脱臭機に吸い込んでこれを脱臭できるようになっている。
【００１３】
以下、脱臭装置１について詳述する。なお、以下の脱臭装置１の説明では、特に記載する場合を除き、図２において紙面に対して垂直な方向を前後方向とし、且つ、図２紙面手前側を前方と規定して説明する。
【００１４】
脱臭装置１は、ハウジング８に設けられた吸気口７からファン６によりトイレ内の空気を吸い込み、該空気を脱臭手段にて脱臭し、この後、ハウジング８に設けられた排気口９からトイレ内に排出するものである。
【００１５】
図４に示すように、脱臭装置１は、前方に開口し且つ上下方向の厚みが薄い略矩形薄箱状に形成されたハウジング８と、ハウジング８内に配設された上下厚みの薄い薄型の脱臭ユニット１０と、ハウジング８の前開口１２の全体を覆うようにハウジング８に取り付けられた通気性を有する通気グリル１３を備えている。
【００１６】
脱臭ユニット１０は、内ケーシング１４に、ファン６、ファン６を駆動制御するファン駆動制御部１５、脱臭手段を構成する脱臭フィルター５０及び静電霧化装置１７、静電霧化装置１７を駆動制御する霧化装置駆動制御部１８等が設けられてユニット化されたものである。
【００１７】
内ケーシング１４は、上下厚みが薄く且つ左右方向に長い略長方形状をした箱状部２０と、該箱状部２０の片側（便座３に着座した着座者を基準としたときの後側）の半部から下方に向けて突設された機器配設部２１と、機器配設部２１の下部から外側方に向けて突設された設置部２２を備えている。
【００１８】
図５に示すように、箱状部２０内の平面視で左右方向に長い略長方形状の空間は箱状部２０に形成された仕切部３７により左右に二分されており、これにより、箱状部２０の設置部２２と反対側の半部の内部には平面視略矩形状のファン収納部２３が形成されている。また、箱状部２０の設置部２２側の半部の内部にはファン収納部２３と左右方向において隣接する平面視略矩形状の隣接空間部２４が形成されている。
【００１９】
ファン収納部２３にはシロッコファンからなるファン６が配設されている。ファン６は、回転軸方向が上下方向と平行となる羽根２５と、羽根２５を収納する平面視略蝸牛状のファンケース２６を備えている。
【００２０】
ファン６の外郭を構成するファンケース２６の下面部にはファン６の吸入口３０が形成され、ファンケース２６の隣接空間部２４側の側面部の後側半部には矩形状の吐出口２７が突設されている。
【００２１】
図６に示すように、ファン収納部２３の底面部２８には上下に貫通する吸込口２９が形成されている。ファン６の吸入口３０は吸込口２９を介してファン収納部２３の下方の空間３１に連通している。空間３１の上面及び側面の夫々は箱状部２０の下面部（ファン収納部２３の底面部２８）及び機器配設部２１の側面部３３によって構成され、該箱状部２０の下面部及び機器配設部２１の側面部３３によって上流側風路形成部３４が構成されている。
【００２２】
脱臭ユニット１０をハウジング８内に組み込むことで、ハウジング８内には上流側風路形成部３４とハウジング８の内面とで構成される上流側風路３５が形成される。つまり、この上流側風路３５はファン６の吸入口３０側である下方に位置し、ファン６の回転軸方向と平行な上下方向においてファン６と並設されている。
【００２３】
ファン収納部２３の下方の空間３１の前方には、ハウジング８の前面に設けられた通気グリル１３の一側部（前記着座者を基準としたときの前側部分）が位置し、該通気グリル１３の一側部における上流側風路３５に対向する部分で吸気口７が構成される。また、上流側風路３５には吸気口７から吸い込んだ空気に含まれる塵を捕集する防塵フィルター３６が配設されている。
【００２４】
図５に示すようにファン収納部２３と隣接空間部２４を仕切る仕切部３７の後側半部には左右方向に貫通する開口からなる嵌込部３８が形成されている。嵌込部３８にはファン６の吐出口２７が嵌め込まれている。
【００２５】
仕切部３７に対向する隣接空間部２４の側面部４０には矩形状の下流側開口部３９が形成されている。下流側開口部３９は側面部４０の前後方向の略全長に亘り、その前後幅は吐出口２７の前後幅よりも大きい。これにより下流側開口部３９の開口面積は吐出口２７よりも大きくなっている。
【００２６】
隣接空間部２４にはファン６の吐出口２７と下流側開口部３９を連通接続する風洞４２が形成されている。
【００２７】
隣接空間部２４において、仕切部３７の前側半部の側方に位置し且つ風洞４２が形成されていない部位には機器収納部４３が形成されており、該機器収納部４３にはファン駆動制御部１５が配設されている。
【００２８】
風洞４２と機器収納部４３は境界壁４５にて前後に仕切られている。境界壁４５の吐出口２７側の端部は仕切部３７の開口からなる嵌込部３８の前縁に接続されている。風洞４２の前面の一部を構成する境界壁４５は、左右方向において、下流側（下流側開口部３９側）に行くに従って風洞４２の前後幅を広げるように傾斜している。仕切部３７の下流側開口部３９側の端部は箱状部２０の前面部を構成する隣接空間部２４の前面部４６に接続され、これにより機器収納部４３は平面視略直角三角形状に形成されている。
【００２９】
上記風洞４２によって下流側風路形成部４７が構成される。また、設置部２２の上方で且つ箱状部２０の側方には風洞４２に連通する空間４８が形成される。
【００３０】
脱臭ユニット１０をハウジング８内に組み込むことで、ハウジング８内には下流側風路形成部４７とハウジング８の内面とで構成される下流側風路４９が形成される。この下流側風路４９は、ファン６の吐出口２７側である側方に位置する。
【００３１】
箱状部２０側方の空間４８の前方には通気グリル１３の吸気口７とは反対側の側部が位置し、該通気グリル１３の他側部における下流側風路４９に対応する部分で排気口９が構成される。
【００３２】
風洞４２の境界壁４５よりも下流側には脱臭フィルター５０が設けられている。脱臭フィルター５０は空気中に含まれる臭気成分を吸着するための触媒が塗布されたものであり、触媒の作用により排気口９から吐出される空気の脱臭を行う。
【００３３】
脱臭フィルター５０は風洞４２の仕切部３７に設けられたファン６の吐出口２７よりも前後幅が広げられた部分に配設されるため、下流側風路４９を流れる空気の脱臭フィルター５０による脱臭効率を高めることができる。
【００３４】
静電霧化装置１７は、液体を静電霧化することにより、発生した帯電微粒子液を前記脱臭フィルター５０を通過した空気に供給するものであり、図６に示すように静電霧化装置１７を駆動制御する霧化装置駆動制御部１８は機器配設部２１内に配設される。
【００３５】
機器配設部２１は、上下方向において、下流側風路４９の風洞４２と並設され且つ上流側風路３５の側方に位置する。この機器配設部２１は上下方向において下流側風路４９と並設され且つ上流側風路３５の空間４８の側方に位置する。
【００３６】
図１及び図２に示すように、脱臭装置１は便器２の側方に立設されたトイレの壁６８に突設したカウンター６５の下面に取り付けられ、ハウジング８の長手方向が前記便座３に着座した着座者を基準としたときの前後方向と平行とされ、吸気口７が便器２の前部の上方部に臨む。
【００３７】
脱臭装置１を利用する場合、シロッコファン６及び静電霧化装置１７を駆動する。これにより、トイレ内の便器２前部の上方部の空気が通気グリル１３の一部で構成された吸気口７から上流側風路３５に吸い込まれ、この後、防塵フィルター３６で塵等が除去されて、吸込口２９及び吸入口３０を介してファンケース２６内に吸い込まれる。
【００３８】
続いて、ファン６の吐出口２７からファン６の回転軸方向と直交する側方の風洞４２に向けて前記清浄化された空気が吐出され、この空気が脱臭フィルター５０を通過して脱臭がなされ、次に、下流側開口部３９から側方の空間４８に吐出され、該空間４８において静電霧化装置１７で発生した帯電微粒子液が付与される。
【００３９】
そしてこの後、前記通気グリル１３の一部で構成された排気口９に至り、該排気口９から脱臭及び清浄化され且つ帯電微粒子液を含む空気がトイレ内の便器２後部の上方部に向けて排出される。
【００４０】
前記帯電微粒子液はナノメータサイズを含む小さな粒径であり且つ強い電荷を持つものであって、高い脱臭効果や殺菌効果等の多様な効果を奏するものである。このため、前述のように脱臭後の空気に乗せて帯電微粒子液をトイレ内に放出することで、トイレ内の隅々にまで帯電微粒子液を行き渡らせて、トイレ内の脱臭や除菌を行うことができる。
【００４１】
ここで、本例にあっては、図３に示すように吸気口７を便器２上に配置された便座３よりも上方に位置させ、且つ、前後方向において、吸気口７の少なくとも一部を前記便座３の開口６６の前端ａから中心ｂまでの領域と重なるように位置させている。この重複は大きくするのが好ましく、吸気口７の全部が重なるようにすると良い。
【００４２】
このため、図９のように便器２のボウル部５内の臭気が、便座３の開口６６の前部から着座者の両太股の間を通って上方に漏れ出したとしても、この臭気を図１の矢印ｃに示すように側方に配置された吸気口７から脱臭装置１内に効率良く吸い込んで脱臭することができる。
【００４３】
なお、一般的な大人の体格を考慮すれば、便座３の開口６６は開口面積の略３分の２に相当する後部が着座者の臀部によって塞がれるため、より効率良く臭気を吸気口７に吸い込むには、前後方向において、吸気口７の全部が便座３の開口６６の略３分の１に相当する前部と重なる位置に設けられることが好ましい。
【００４４】
また、脱臭装置１は、排気口９から排気を行うにあたって、排気口９から脱臭後の空気をトイレ内における便座３よりも後方に向けて排出することが好ましい。
【００４５】
具体的には、前記下流側風路４９の形状や、排気口９を構成する通気グリル１３の開口部の開口方向を調節することで、脱臭後の空気を図１の矢印ｄに示すように排気口９から便座３の後方部（斜め後方）に向けて排出する。
【００４６】
このように脱臭後の空気を排気口９から便座３よりも後方に向けて排出することで、排気口９から排出される空気が便座３に着座した着座者に直接当たることを防止できる。このため、仮に脱臭装置１にて脱臭しきれなかった臭気が含まれていたとしても、着座者はこの臭気を感じ難くなり、また、この排出空気が着座者の体に当たって寒さを感じたりすることを防止できる。
【００４７】
なお、上記の例では、排気口９からトイレ内に排出される空気の吐出方向を後方に傾けたが、例えば脱臭装置１の前後長さを長くできる場合等にあっては、排気口９からの排気方向を左右方向と平行とし、排気口９を便座３よりも後方に配置する等して、排気口９から脱臭後の空気をトイレ内における便座３よりも後方に向けて排出するようにしても構わない。
【００４８】
また、上記の例では、脱臭装置１をトイレのカウンター６５に取り付けたが、図７に示すように、脱臭装置１をトイレの壁６８に沿って設置したカウンターキャビネット６７に組み込んでも良く、また、図８に示すように脱臭装置１をトイレの壁６８に直接設けても良い。
【図面の簡単な説明】
【００４９】
【図１】本発明の実施形態の一例を示すものであり、便座及び便蓋の図示を省略したトイレ設備の平面図である。
【図２】同上の側面図である。
【図３】同上の便器の斜視図である。
【図４】同上の脱臭装置の分解斜視図である。
【図５】同上の脱臭ユニットの上側から見た斜視図である。
【図６】同上の脱臭ユニットの下側から見た斜視図である。
【図７】同上の脱臭装置をカウンターキャビネットに設けた例を示す斜視図である。
【図８】同上の脱臭装置を壁に設けた例を示す断面図である。
【図９】便器内の臭気が上昇する様子を示す説明図である。
【符号の説明】
【００５０】
１  脱臭装置
２  便器
３  便座
７  吸気口
９  排気口
６６  開口
６８  壁
【図１】
2010101026.tif 000003
【図２】
2010101026.tif 000004
【図３】
2010101026.tif 000005
【図４】
2010101026.tif 000006
【図５】
2010101026.tif 000007
【図６】
2010101026.tif 000008
【図７】
2010101026.tif 000009
【図８】
2010101026.tif 000010
【図９】
2010101026.tif 000011